(57)【要約】【課題】従来使用している開口型紙パック等の注ぎ口開口部に傾斜角度をより鈍角になるように中間の位置に凹凸波形の折形をつけることにより、中の液体等が勢いよく流れ出すぎるのを防いだり、中の液体等の垂れ溢しやすばやく内部に戻すことのできる開口部の工法を提供するものである。【解決手段】開口型紙パック等の開口部の工法は、開口型紙パック等の注ぎ口開口部に、傾斜角度をより鈍角になるように中間の位置に凹凸波形の折形をつけることにより、使用時に前記紙パックの中の液体等が勢いよく流れ出すぎるのを防ぐことのできる。さらに、前記凹凸波形の折形をつけることにより、中の液体等の垂れ溢しや、中の液体等をすばやく内部に戻すことのできるように構成した。【選択図】図１
2008265775.tif 000002
【特許請求の範囲】
【請求項１】
開口型紙パック等の注ぎ口開口部に、傾斜角度をより鈍角になるように中間の位置に凹凸波形の折形をつけることにより、使用時に前記紙パックの中の液体等が勢いよく流れ出すぎるのを防ぐことのできることを特徴とする開口型紙パック等の開口部の工法。
【請求項２】
前記開口型紙パック等の注ぎ口開口部の工法は、前記凹凸波形の折形をつけることにより、中の液体等の垂れ溢し等を防ぎ、中の液体等をすばやく内部に戻すことのできることを特徴とする請求項１に記載の開口型紙パック等の開口部の工法。
【請求項３】
前記開口型紙パック等の注ぎ口開口部の工法は、前記凹凸波形の折形をつけることにより、あらゆる紙パックに形成でき、活用することのできることを特徴とする請求項１又は、２のいずれかの１項に記載の開口型紙パック等の開口部の工法。
【発明の詳細な説明】
【技術分野】
【０００１】
本発明は、開口型紙パック等の注ぎ口開口部に傾斜角度がより鈍角になるように中間の位置に凹凸波形の折形をつけることにより、あらゆる開口型紙パック等に形成することのできる紙パック等の開口部の画期的な工法である。
【背景技術】
【０００２】
従来の開口型紙パック等の注ぎ口開口部の傾斜では、使用時に中の液体等が勢いよくでたりして垂れ溢れたりすることがあり、手元を汚してしまうことがある。
また、液体等によっては、従来の傾斜では、開口型紙パック等の内部に戻るのが遅くて、こびり付いて、不衛生になって腐食させてしまうことがある。
かかる問題点を解決するため、下記特許文献に開示されている工法が公知である。この紙パック等の開口部の工法は、従来の開口部に傾斜角度がより鈍角になるように中間の位置に凹凸波形の折形をつけることにより、液体等が勢いよく出るのを防いだり、垂れ溢し等を防いだり、すばやく内部に戻ることができるようになっている。
【特許文献１】特開平０８−２９５３３１
【特許文献２】特開平１１−０７０９３５
【特許文献３】特開２００１−０３１０７５
【特許文献４】特開２００３−１３７２７６
【特許文献５】特開２００３−３１２６４２
【発明の開示】
【発明が解決しようとする課題】
【０００３】
上記先行技術における課題は、次の通りである。開口型紙パック等を使用する際、勢いよく出たりして垂れ溢れたりした際に、拭いたりして面倒である。また、開口型紙パック等の内部に液体や薬剤等をすばやく戻すことができず、こびりついて腐食させてしまうことがある。
【０００４】
本発明は、上記実情に鑑みてなされたものであり、その課題は、従来使用している開口型紙パック等の注ぎ口開口部に傾斜角度をより鈍角になるように中間の位置に凹凸波形の折形をつけることにより、上記の問題点を解決することができる開口型紙パック等の開口部の工法を提供するものである。
【課題を解決するための手段】
【０００５】
上記課題を解決するために本発明に係る開口型紙パック等の開口部の工法は、開口型紙パック等の注ぎ口開口部に、傾斜角度をより鈍角になるように中間の位置に凹凸波形の折形をつけることにより、使用時に前記紙パックの中の液体等が勢いよく流れ出すぎるのを防ぐことのできる。さらに、前記凹凸波形の折形をつけることにより、中の液体等の垂れ溢しや、中の液体等をすばやく内部に戻すことのできることを特徴とするものである。
【発明の効果】
【０００６】
この工法による開口型紙パック等の注ぎ口開口部の作用・効果は、以下の通りである。まず、開口型紙パック等の注ぎ口開口部に、傾斜角度をより鈍角になるように中間の位置に折形をつけ、更に、前記折形位置と前記紙パックの上辺折り曲げ線との中間の位置に折形をつけることにより、凹凸波形を設けるように構成されている。
【０００７】
さらに、開口型紙パック等の注ぎ口開口部の工法は、用途に応じて、サイズ、材質の異なるものが複数用意されており、また、前記工法は、任意の位置に適宜設計変更を可能にできるように構成されている。
【発明を実施するための最良の形態】
【０００８】
本発明に係る開口型紙パック等の開口部の工法の好適な実施形態を図面を用いて説明する。図１は、実施形態に係る紙パック容器の開口状態の外観構成を示す斜視図、図２は従来使用されている紙パック容器の開口状態の外観構成を示す斜視図、図３は実施形態に係る紙パック容器の閉口状態の外観構成を示す斜視図、図４は実施形態に係る紙パック容器の組み立て前の平面図、図５は、開口状態における紙パック容器の作用状態を示す側面断面図である。
【０００９】
各図に示すように開口型紙パック容器Ｐは、本体部分１１とフタ部分１２と底面部分１６とで構成されており、また、フタ面のり付け部分１３と側面のり付け部分１７と底面のり付け部分１８とを設けて、一体化になるよう組み立てられることのできるように構成されている。さらに、フタ部分１２の両側に折形部分１５ａ、折形部分１５ｂを設け、凹凸波形を設けるように構成されている。
【００１０】
図１においては、実施形態の紙パック容器Ｐのフタ部分１２の上辺のフタ面のり付け部分１３の何れか一方を開き開口部分１４を設け、予め、内側に曲がる型押しの折形部分１５ａと外側に曲がる型押しの折形部分１５ｂとで、凹凸波形を設け、注ぎ口開口部に、傾斜角度をより鈍角になるように構成されている開口状態の外観構成を示す斜視図である。
【００１１】
図２においては、従来使用されている紙パック容器Ｐ’の開口状態を示す参考斜視図である。
【００１２】
また、図３においては、実施形態の紙パック容器Ｐの閉口状態を示す斜視図であり、図１、図２において比較しても一見大差なく、実施形態の紙パック容器Ｐは、フタ部分１２の両側に折形部分１５ａ、折形部分１５ｂを設け、凹凸波形を設けるように構成されているだけで、組み立て作業も容易・確実にできるものである。
【００１３】
さらに、図４においては、実施形態の紙パック容器Ｐの組み立て前を示す斜視図である。紙パック容器Ｐは、本体部分１１とフタ部分１２と複合プレスされた底面部分１６とで構成されており、また、フタ面のり付け部分１３と側面のり付け部分１７と底面のり付け部分１８とを設けて、一体化になるよう組み立てられることのできるように構成されている。さらに、内側に曲がる型押しの折形部分１５ａと外側に曲がる型押しの折形部分１５ｂとで、凹凸波形を設けるように構成されており、一体化になるよう組み立てられることのできるように構成されている。
【００１４】
次に、図５においては、実施形態の紙パック容器Ｐの開口状態の作用状態を示す側面断面図である。
図１は、実施形態に係る紙パック容器Ｐの開口状態を示し、図２は従来使用されている紙パック容器Ｐ’の開口状態を示し、これらの作用状態を図５を用いて説明する。
開口状態の実施形態に係る紙パック容器Ｐを傾けて液体を注ぐ際、前記実施形態に係る紙パック容器Ｐは、前記従来使用されている紙パック容器Ｐ’より大きく傾けなければならない。それは、実施形態の紙パック容器の流れ出し開始角度予想線２１と従来使用されている紙パック容器の流れ出し開始角度予想線２２とを比較すれば明白なことである。こうすることにより、前記従来使用されている紙パック容器Ｐ’より、一定量の液体が注がれ、さらに、勢いよくそそがれるようになり、垂れ溢れたり、手元を汚してしまうことがある。しかしながら、前記実施形態に係る紙パック容器Ｐに内側に曲がる型押しの折形部分１５ａと外側に曲がる型押しの折形部分１５ｂとで、凹凸波形を設け、注ぎ口開口部に、傾斜角度をより鈍角になるように構成されている開口部分１４を設けることにより、液体の流量が抑えられ、凹凸波形部分で液体が溜まるため、緩圧されて液体の流れの勢いをセーブすることができる。
さらに、開口状態の実施形態に係る紙パック容器Ｐの液体を注ぐのを中止した際、液体を注ぐ際の条件と逆になり、従来使用されている紙パック容器Ｐ’よりすばやく内部に戻すことのできる。  
【産業上の利用可能性】
【００１５】
本発明に係る実施形態の開口型紙パック等の注ぎ口開口部に、傾斜角度をより鈍角になるように中間の位置に凹凸波形の折形をつけることにより、使用時に前記紙パックの中の液体等が勢いよく流れ出すぎるのを防ぐことのでき、さらに、中の液体等の垂れ溢しや、中の液体等をすばやく内部に戻すことができる。これにより、薬剤等をすばやく戻すことができ、こびり付いて、不衛生になって腐食させてしまうことを防ぐことができる。
【図面の簡単な説明】
【００１６】
【図１】実施形態の紙パック容器の開口状態を示す斜視図
【図２】従来使用されている紙パック容器の開口状態を示す斜視図
【図３】実施形態の紙パック容器の閉口状態を示す斜視図
【図４】実施形態の紙パック容器の組み立て前を示す平面図
【図５】実施形態の紙パック容器の開口状態の作用状態を示す側面断面図
【符号の説明】
【００１７】
Ｐ      紙パック容器
Ｐ’    従来の紙パック容器
１１    本体部分
１２    フタ部分
１３    フタ面のり付け部分
１４    開口部分
１５ａ  折形部分
１５ｂ  折形部分
１６    底面部分
１７    側面のり付け部分
１８    底面のり付け部分
２１    実施形態の紙パック容器の流れ出し開始角度予想線
２２    従来使用されている紙パック容器の流れ出し開始角度予想線
【図１】
2008265775.tif 000003
【図２】
2008265775.tif 000004
【図３】
2008265775.tif 000005
【図４】
2008265775.tif 000006
【図５】
2008265775.tif 000007